(57)【要約】      （修正有）【課題】空気取入れ口を覆うエアフィルタを備えた温風暖房器等のガス器具において、エアフィルタを通過した塵埃のガスバーナの混合管内への侵入堆積を抑制し、燃焼不良の発生を長期間防止できるようにする。【解決手段】空気取入れ口７から、混合管３ｃへの一次空気吸込み口３ｄに向かう最短の空気経路となる部分に、空気取入れ口７を覆う第１のエアフィルタより目の細かい第２のエアフィルタ１１が、このエアフィルタ１１を迂回して一次空気吸込み口３ｄに向かう空気の流れを許容するように配置される。【選択図】図２
2008116175.tif 000002
【特許請求の範囲】
【請求項１】
器体に開設した空気取入れ口を覆う第１のエアフィルタを備え、器体内に配置したガスバーナの混合管の上流端の一次空気吸込み口に空気取入れ口から流入する空気の一部が吸込まれるようにしたガス器具において、
空気取入れ口から一次空気吸込み口に向かう最短の空気経路となる部分に第１のエアフィルタより目の細かい第２のエアフィルタが、該第２のエアフィルタを迂回して一次空気吸込み口に向かう空気の流れを許容するように配置されることを特徴とするガス器具。
【請求項２】
請求項１記載のガス器具であって、前記混合管が前記器体の前記空気取入れ口の開設面と平行になるように配置されているものにおいて、前記第２のエアフィルタは、前記一次空気吸込み口の混合管の軸線方向への投影空間を空気取入れ口の開設面側の半周に亘って囲うように配置されることを特徴とするガス器具。
【発明の詳細な説明】
【技術分野】
【０００１】
本発明は、器体内にガスバーナを配置したガス温風暖房器等のガス器具に関する。
【背景技術】
【０００２】
ガス温風暖房器は、器体に空気取入れ口と温風吹き出し口とを開設し、空気取入れ口から流入する空気の一部をガスバーナの混合管の上流端の一次空気吸込み口に一次空気として吸込ませると共に、空気の一部を二次空気としてバーナの燃焼に寄与させ、残りの空気をバーナの燃焼排ガスと共に器体内の温風ファンに吸込んで温風吹き出し口に送風するように構成される。また、空気取入れ口を覆うエアフィルタを設けて、器体内に塵埃が侵入することを防止している。そして、従来、このようなガス温風暖房器において、エアフィルタの目詰まりを生じたときにこれを検知して燃焼を停止する安全装置を具備するものも知られている（例えば、特許文献１参照）。
【０００３】
ところで、エアフィルタの目が余り細かいと、エアフィルタが目詰まりし易くなって、安全装置が頻繁に作動し、使い勝手が悪くなる。そのため、エアフィルタとして余り目の細かいものを使用しないのが一般的である。その結果、細かな塵埃がエアフィルタを通過して器体内に侵入することがある。そして、稀ではあるが、塵埃が一次空気吸込み口から混合管内に吸込まれて次第に堆積し、混合管の目詰まりによる燃焼不良を生ずることがある。然し、器体の空気取入れ口を覆うエアフィルタで塵埃対策は十分であるとして、混合管内への塵埃の侵入堆積に対する対策が講じられていないのが現状である。
【特許文献１】特開２００２−３１８０１１号公報
【発明の開示】
【発明が解決しようとする課題】
【０００４】
本発明は、以上の点に鑑み、器体の空気取入れ口を覆うエアフィルタを通過した塵埃の混合管内への侵入堆積を抑制し、燃焼不良の発生を長期間防止できるようにしたガス器具を提供することをその課題としている。
【課題を解決するための手段】
【０００５】
上記課題を解決するために、本発明は、器体に開設した空気取入れ口を覆う第１のエアフィルタを備え、器体内に配置したガスバーナの混合管の上流端の一次空気吸込み口に空気取入れ口から流入する空気の一部が吸込まれるようにしたガス器具において、空気取入れ口から一次空気吸込み口に向かう最短の空気経路となる部分に第１のエアフィルタより目の細かい第２のエアフィルタが、該第２のエアフィルタを迂回して一次空気吸込み口に向かう空気の流れを許容するように配置されることを特徴とする。
【０００６】
空気取入れ口から流入して混合管の一次空気吸込み口に吸込まれる空気の大部分は上記最短の空気経路を流れる。そして、本発明によれば、この最短の空気経路に第１のエアフィルタより目の細かい第２のエアフィルタが配置されるため、第１のエアフィルタを通過した塵埃は第２のエアフィルタで効率良く捕捉され、混合管内への塵埃の侵入が抑制される。
【０００７】
また、第２のエアフィルタが目詰まりしても、空気が該第２のエアフィルタを迂回して一次空気吸込み口に吸込まれる。そのため、一次空気不足による燃焼不良は生じない。そして、第２のエアフィルタを迂回する空気流中の塵埃には遠心力が働き、混合管内に堆積し易いある程度以上の重さの塵埃は遠心分離されて混合管内への侵入が抑制される。その結果、長時間経過しても混合管内に塵埃は然程堆積せず、燃焼不良の発生を長期間防止できる。
【０００８】
ところで、バーナの混合管が器体の空気取入れ口の開設面と平行になるように配置されている場合、空気取入れ口から一次空気吸込み口に向かう最短の空気経路は、一次空気吸込み口の混合管の軸線方向への投影空間に対し該投影空間の空気取入れ口の開設面側の半周面において交差する。従って、第２のエアフィルタが、この投影空間を空気取入れ口の開設面側の半周に亘って囲うように配置されていれば、最短の空気経路を流れる空気が第２のエアフィルタを通過することになり、上述した作用効果が得られる。
【発明を実施するための最良の形態】
【０００９】
以下、ガス器具の一つであるガス温風暖房器に本発明を適用した実施形態について説明する。
【００１０】
図１を参照して、ガス温風暖房器の器体１内には、下部の温風ファン２と、その上方に位置する、ガスバーナ３を内蔵する燃焼筐４と、燃焼筐４の配置部を上方から前方に亘って囲う仕切板５とが配置されている。そして、器体１内に、仕切板５により燃焼筐４の上方部分から前側部分を経由して温風ファン２に至る通風路６が画成されている。また、器体１には、背面１ｂの空気取入れ口７と、前面１ａ下部の温風吹出し口８とが開設されている。器体１の背面１ｂ外側には、空気取入れ口７から器体１内に塵埃が侵入することを防止するため、空気取入れ口７を覆うエアフィルタ（以下、第１のエアフィルタという）９が装着されている。
【００１１】
燃焼筐４には、空気取入れ口７から流入する空気の一部を燃焼筐４内に燃焼用二次空気として供給する後面下部の給気口４ａと、上端の排気口４ｂとが開設されている。また、排気口４ｂの上方にはガイド板１０が設けられている。そして、温風ファン２の作動により空気取入れ口７から通風路６に空気が吸込まれると共に、排気口４ｂからの燃焼排ガスがガイド板１０の上側に流れる空気と熱交換しつつ燃焼筐４の前面側の通風路６の部分に吸引され、通風路６内で燃焼排ガスと空気とが混合されて、温風ファン２から温風吹出し口８に温風が送風されるようにしている。
【００１２】
ガスバーナ３は、上面に多数の炎孔を有する横長形状のバーナ本体３ａと、バーナ本体３ａの上方空間を囲うように取り付けた二次空気カバー３ｂとを備えている。そして、炎孔から噴出する混合気を二次空気カバー３ｂ内で二次空気を制限した状態で一次燃焼させた後、二次空気カバー３ｂの上方で二次燃焼させるようにし、窒素酸化物の発生を抑制している。
【００１３】
図２を参照して、ガスバーナ３は、燃焼筐４の横方向一側の側板部４ｃを通して燃焼筐４の横方向外方に突出する混合管３ｃを備えており、混合管３ｃの上流端の一次空気吸込み口３ｄにガスノズル３ｅを臨ませている。尚、ガスノズル３ｅは、混合管３ｃに取付けたノズルホルダ３ｆに保持されている。また、器体１の背面１ｂには、燃焼筐４の横方向外方の空間に臨む部分に亘って空気取入れ口７が開設されている。そして、燃焼筐４の横方向外方の空間に臨む部分に開設した空気取入れ口７から流入する空気がガスノズル３ｅからの燃料ガスの噴出に伴い一次空気吸込み口３ｄから混合管３ｃ内に吸込まれ、混合管３ｃ内での燃料ガスと空気（一次空気）との混合で生成される混合気がバーナ本体３ａに供給される。図２中の符号２ａは温風ファン２のファンモータを示している。
【００１４】
ところで、第１のエアフィルタ９の目が細かすぎると、該エアフィルタ９が早期に目詰まりし、使い勝手が悪くなる。そのため、第１のエアフィルタ９としては、然程目が細かくない３０メッシュ程度のものを使用している。この場合、細かな塵埃が第１のエアフィルタ９を通過して器体１内に侵入することがある。そして、稀ではあるが、塵埃が一次空気吸込み口３ｄから混合管３ｃ内に吸込まれて堆積し、混合管３ｃの目詰まりによる燃焼不良を生ずることがある。
【００１５】
尚、一次空気吸込み口３ｄには燃焼筐４の横方向外方の空間に滞留している空気も吸込まれるが、この空気中に浮遊する塵埃は非常に軽く、混合管３ｃ内に堆積する可能性は低い。混合管３ｃ内に堆積し易い比較的重い塵埃が混合管３ｃ内に侵入するのは、空気取入れ口７から一次空気吸込み口３ｄに直接的に流れる空気流に乗って一次空気吸込み口３ｄに吸込まれる場合が殆どである。
【００１６】
そこで、本実施形態では、空気取入れ口７から一次空気吸込み口３ｄに向かう最短の空気経路となる部分に第１のエアフィルタ９より目の細かい、例えば、５０メッシュ程度の第２のエアフィルタ１１を配置している。ここで、混合管３ｃは空気取入れ口７の開設面たる器体背面１ｂと平行になるように配置されている。この場合、空気取入れ口７から一次空気吸込み口３ｄに向かう最短の空気経路は、一次空気吸込み口３ｄを混合管３ｃの軸線方向たる横方向に投影した吸込み口投影空間に対し該投影空間の器体背面１ｂ側の半周面において交差する。そして、第２のエアフィルタ１１は、吸込み口投影空間を器体背面１ｂ側の半周に亘って囲うように配置されている。
【００１７】
これを図３を参照して更に詳述する。第２のエアフィルタ１１は、吸込み口投影空間を後方から覆う後フィルタ部１１ａと、後フィルタ部１１ａの上縁から前方に屈曲してのび、吸込み口投影空間の後側半部を上方から覆う上フィルタ部１１ｂと、後フィルタ部１１ａの下縁から前方に屈曲してのび、吸込み口投影空間の後側半部を下方から覆う下フィルタ部１１ｃと、後フィルタ部１１ａの横方向外方側の側縁から前方に屈曲してのび、吸込み口投影空間の後側の半部を横方向外方から覆う端面フィルタ部１１ｄとを備える。そして、第２のエアフィルタ１１を上フィルタ部１１ｂ及び下フィルタ部１１ｃに設けた爪片１１ｅによりノズルホルダ３ｆに係着している。
【００１８】
尚、上フィルタ部１１ｂと下フィルタ部１１ｃとの前縁には、空気がこれらフィルタ部１１ｂ，１１ｃの外面に沿って前方に素通りすることを邪魔する上方と下方に屈曲する屈曲部１１ｆが形成されている。また、端面フィルタ部１１ｄの前縁には、ガスノズル３ｅに対する逃げとなる凹欠部１１ｇが形成されている。
【００１９】
空気取入れ口７から一次空気吸込み口３ｄに直接的に流れる空気は、空気取入れ口７から一次空気吸込み口３ｄに向かう最短の空気経路を通る。そして、この最短の空気経路に第２のエアフィルタ１１が配置されるため、空気取入れ口７から一次空気吸込み口３ｄに直接的に流れる空気流中に第１のフィルタ９を通過した塵埃が混入していても、この塵埃は第２のエアフィルタ１１で効率良く捕捉され、混合管３ｃ内への塵埃の侵入が抑制される。
【００２０】
また、吸込み口投影空間の器体背面１ｂ側の半周面は第２のエアフィルタ１１で囲われるが、吸込み口投影空間の器体前面１ａ側の半周面は開放されている。そのため、第２のエアフィルタ１１を迂回して一次空気吸込み口３ｄに向かう空気の流れが許容される。従って、第２のエアフィルタ１１が目詰まりしても、空気が第２のエアフィルタ１１を迂回して一次空気吸込み口３ｄに吸込まれ、一次空気不足による燃焼不良は生じない。そして、第２のエアフィルタ１１を迂回する空気流は該エアフィルタ１１の周囲から弧を描くようにして一次空気吸込み口３ｄに向かうため、この空気流中の塵埃に遠心力が働く。そして、混合管３ｃ内に堆積し易いある程度以上の重さの塵埃は遠心分離されて混合管３ｃ内への侵入が抑制される。その結果、長時間経過しても混合管３ｃ内に塵埃は然程堆積せず、燃焼不良の発生を長期間防止できる。
【００２１】
以上、本発明の実施形態について図面を参照して説明したが、本発明はこれに限定されない。例えば、上記実施形態では、混合管３ｃが空気取入れ口７の開設面（器体背面１ｂ）に平行に配置されているが、空気取入れ口の開設面に直交するように混合管が配置され、混合管の上流端の一次空気吸込み口が空気取入れ口に対向している場合にも本発明を適用できる。この場合、空気取入れ口から一次空気吸込み口に向かう最短の空気経路は一次空気吸込み口を混合管の軸線方向（空気取入れ口の開設面の法線方向）に投影した吸込み口投影空間に一致する。従って、この吸込み口投影空間に一次空気吸込み口から離れた位置で交差するように第２のエアフィルタを配置すれば、最短の空気経路に流れる空気中の塵埃を第２のエアフィルタで捕捉できると共に、第２のエアフィルタを迂回して一次空気吸込み口に向かう空気の流れも許容できる。
【００２２】
また、上記実施形態は、ガス温風暖房器に本発明を適用したものであるが、器体に開設した空気取入れ口を覆うエアフィルタを備えるガス温風暖房器以外のガス器具にも同様に本発明を適用できる。
【図面の簡単な説明】
【００２３】
【図１】本発明の実施形態のガス器具であるガス温風暖房器を示す切断側面図。
【図２】図１のガス温風暖房機の要部の斜視図。
【図３】図２に示されている第２のエアフィルタの斜視図。
【符号の説明】
【００２４】
１…器体、３…ガスバーナ、３ｃ…混合管、３ｄ…一次空気吸込み口、７…空気取入れ口、９…第１のエアフィルタ、１１…第２のエアフィルタ。
【図１】
2008116175.tif 000003
【図２】
2008116175.tif 000004
【図３】
2008116175.tif 000005